(57)【要約】【課題】部品数が少なく形状も単純で、しかも簡単な動作でシート状被挟持物の固定及び解除が可能である挟持具を提供する。【解決手段】押圧力に応じて撓む第一フレーム１と、第一フレーム１側に軸受３を有する前部２ａが第一フレーム１の前部１ａから離間して配置されるとともに後部２ｂが第一フレーム１の後部１ｂと連結される第二フレーム２と、軸受３によって第一フレーム１と第二フレーム２との間で回転自在に軸支され、周面が曲面状の摺動面４ａ及び平面状の挟持面４ｂからなる略Ｄ字状の一つの挟持部材４を備え、挟持部材４の回転角度によらず挟持部材４の周面のいずれかの部位が第一フレーム１を押圧し、しかも挟持部材４が第一フレーム１を押圧した状態において、挟持部材４は第一フレーム１と挟持部材４との間に挿抜されるシート状被挟持物Ｓのその挿抜時の摩擦力によって回転可能である。【選択図】図１１
2015086952.tif 000002
【特許請求の範囲】
【請求項１】
押圧力に応じて撓む第一フレームと、
前記第一フレーム側に軸受を有する前部が前記第一フレームの前部から離間して配置されるとともに後部が前記第一フレームの後部と連結される第二フレームと、
前記軸受によって前記第一フレームと前記第二フレームとの間で回転自在に軸支され、周面が曲面状の摺動面及び平面状の挟持面からなる略Ｄ字状の一つの挟持部材を備え、
前記挟持部材の回転角度によらず前記挟持部材の周面のいずれかの部位が前記第一フレームを押圧し、
しかも前記挟持部材が前記第一フレームを押圧した状態において、前記挟持部材は前記第一フレームと前記挟持部材との間に挿抜されるシート状被挟持物のその挿抜時の摩擦力によって回転可能であることを特徴とする挟持具。
【請求項２】
前記第一フレーム、前記第二フレーム、及び前記挟持部材で囲まれた空隙の前後方向の距離は、前記摺動面の周長以上であることを特徴とする請求項１に記載の挟持具。
【請求項３】
前記挟持部材の回転軸から前記挟持部材の摺動面との距離が一定であることを特徴とする請求項１又は２に記載の挟持具。
【請求項４】
前記挟持部材の周面のうち少なくとも前記挟持面に滑り止めを設けたことを特徴とする請求項１乃至３のうちいずれか一つに記載の挟持具。
【請求項５】
前記摺動面と前記挟持面との境にはエッジが形成されていることを特徴とする請求項１乃至４のうちいずれか一つに記載の挟持具。
【発明の詳細な説明】
【技術分野】
【０００１】
本発明は、シート状被挟持物を着脱自在に挟持する挟持具に関するものである。
【背景技術】
【０００２】
紙や布といったシート状被挟持物を着脱自在に挟持する挟持具として様々なものが開発され、広く知られている。
このような挟持具には、偏心したカムを有しそのカムの回転によって挟むタイプのものや、洗濯バサミのように摘むタイプのもの等がある（例えば、特許文献１乃至６参照）。
【先行技術文献】
【特許文献】
【０００３】
【特許文献１】特開平１１−３４７２９４号公報
【特許文献２】実用新案登録第３０４９３８８号公報
【特許文献３】実用新案登録第３１６３４９４号公報
【特許文献４】特開２００７−２１１８７号公報
【特許文献５】実開昭４８−７１２８号公報
【特許文献６】特開２０００−２４５９９６号公報
【０００４】
特許文献１に記載の発明は、フレームにクランプバーが取付けられており、クランプバーが回転してシート状被挟持物を挟持する。フレームを広げると、クランプバーに取付けられたバネの力によってクランプバーが初期状態まで回転する。
特許文献２に記載の発明は、バネが取付けられた回動ピンチと固定ピンチによって被挟持物を挟持するものである。そして、被挟持物を取り外すときには回動ピンチの一端をユーザが操作する。
【０００５】
特許文献３に記載の発明は、略Ｕ字状のフレームに回転する挟持部材が取付けられている。その挟持部材は帯状のバネを有しており、その弾性力によって被挟持物を挟持する。被挟持物を取り外すときには、被挟持物を横方向に引き抜く。
また、特許文献４に記載の発明は、略Ｕ字状のフレームに二つの挟持部材が取付けられている。その二つの挟持部材には互いに噛み合う凹凸が形成されており、二つの挟持部材が連動して回転することでその間に被挟持物を挟持可能となっている。
【０００６】
特許文献５に記載の発明は、円柱状の転子が遊動可能なようにフレームに楕円状の孔が開いており、被挟持物を引き抜こうとすることで転子のフレームへの押し付けが増加し、その力により被挟持物を保持している。
また、特許文献６に記載の発明は、略Ｕ字状のフレームの内側に舌状の弾性体が取付けられており、弾性体とフレームの間でシート状被挟持物を挟持可能となっている。
【発明の概要】
【発明が解決しようとする課題】
【０００７】
しかしながら、これらの挟持具には以下のような課題がある。
まず、バネを有する特許文献１乃至３のような挟持具は、バネが必要な分だけ部品数が多くなってしまう。一方、部品数増加を避けるためにバネを挟持部材と一体化させると、挟持部材の形状が複雑になって不具合に繋がる。
また、特許文献４に記載の発明は挟持部材が二つあるので、同様に部品数を少なくするという点において改善の余地がある。
このように、部品数が増加したり部品の形状が複雑になると、製造コストが嵩み、加えて不具合も生じ易くなってしまう。
【０００８】
特許文献５に記載の発明は、被挟持物を引き抜こうとするときにはたらく力で被挟持物を保持しているので、実際に被挟持物を引き抜きたいときにはユーザがフレームを指で持ち上げる必要があり、被挟持物を引き抜くという一つの動作だけでは保持の解除ができない。
特許文献６に記載の発明も、舌状の弾性体で被挟持物を押さえるので、被挟持物の挿入時にはスムーズであるが、被挟持物を取り外すときにそのまま被挟持物を引っ張ると弾性体の先端が被挟持物に引っ掛かってしまう。よって、ユーザが被挟持物を取り外すには弾性体を指で抑えなくてはならず、手間である。
【０００９】
そこで、本発明の目的とするところは、部品数が少なく形状も単純で、しかも簡単な動作でシート状被挟持物の固定及び解除が可能である挟持具を提供することにある。
【課題を解決するための手段】
【００１０】
上記の目的を達成するために、本発明の請求項１に記載の挟持具（１０）は、押圧力に応じて撓む第一フレーム（１）と、前記第一フレーム（１）側に軸受（３）を有する前部（２ａ）が前記第一フレーム（１）の前部（１ａ）から離間して配置されるとともに後部（２ｂ）が前記第一フレーム（１）の後部（１ｂ）と連結される第二フレーム（２）と、前記軸受（３）によって前記第一フレーム（１）と前記第二フレーム（２）との間で回転自在に軸支され、周面が曲面状の摺動面（４ａ）及び平面状の挟持面（４ｂ）からなる略Ｄ字状の一つの挟持部材（４）を備え、前記挟持部材（４）の回転角度によらず前記挟持部材（４）の周面のいずれかの部位が前記第一フレーム（１）を押圧し、しかも前記挟持部材（４）が前記第一フレーム（１）を押圧した状態において、前記挟持部材（４）は前記第一フレーム（１）と前記挟持部材（４）との間に挿抜されるシート状被挟持物（Ｓ）のその挿抜時の摩擦力によって回転可能であることを特徴とする。
【００１１】
また、請求項２に記載の挟持具（１０）は、前記第一フレーム（１）、前記第二フレーム（２）、及び前記挟持部材（４）で囲まれた空隙（５）の前後方向の距離は、前記摺動面（４ａ）の周長以上であることを特徴とする。
【００１２】
また、請求項３に記載の挟持具（１０）は、前記挟持部材（４）の回転軸（４ｃ）から前記挟持部材（４）の摺動面（４ａ）との距離が一定であることを特徴とする。
【００１３】
また、請求項４に記載の挟持具（１０）は、前記挟持部材（４）の周面のうち少なくとも前記挟持面（４ｂ）に滑り止めを設けたことを特徴とする。
【００１４】
また、請求項５に記載の挟持具（１０）は、前記摺動面（４ａ）と前記挟持面（４ｂ）との境にはエッジが形成されていることを特徴とする。
【００１５】
ここで、上記括弧内の記号は、図面および後述する発明を実施するための形態に掲載された対応要素または対応事項を示す。
【発明の効果】
【００１６】
本発明の請求項１に記載の挟持具によれば、第一フレームと、第一フレームに連結された第二フレームと、略Ｄ字状の一つの挟持部材からなるので、部品数が少なく各部品の形状も単純で済む。したがって、製造コストが低廉であり、かつ不具合も生じ難い。
しかも挟持部材が第一フレームを押圧した状態において、挟持部材は第一フレームと挟持部材との間に挿抜されるシート状被挟持物のその挿抜時の摩擦力によって回転可能であるので、シート状被挟持物を挿抜するというそれぞれ一つの動作だけでシート状被挟持物の固定及び解除が可能である。
【００１７】
また、請求項２に記載の挟持具によれば、請求項１に記載の発明の作用効果に加え、第一フレーム、第二フレーム、及び挟持部材で囲まれた空隙の前後方向の距離は、摺動面の周長以上であるので、シート状被挟持物を第一フレームと挟持部材との間に挿入し挟持部材が一回転しても、シート状被挟持物の端部が当たらず折れ曲がらない。
【００１８】
また、請求項３に記載の挟持具によれば、請求項１又は２に記載の発明の作用効果に加え、挟持部材の回転軸から挟持部材の摺動面との距離が一定であるので、シート状被挟持物を第一フレームと挟持部材との間に挿入しシート状被挟持物が摺動面に接しているときに、挟持部材が円滑に回転する。
【００１９】
また、請求項４に記載の挟持具によれば、請求項１乃至３に記載の発明の作用効果に加え、挟持部材の周面のうち少なくとも挟持面に滑り止めを設けたので、シート状被挟持物が確実に固定される。また、シート状被挟持物の固定を解除しようと引き抜くときに、その摩擦力で挟持部材が確実に回転する。
【００２０】
また、請求項５に記載の挟持具によれば、請求項１乃至４に記載の発明の作用効果に加え、摺動面と挟持面との境にはエッジが形成されているので、挟持面が第一フレームを押圧している状態から容易には挟持部材が回転せず、シート状被挟持物の固定が不意に解除されてしまい難い。
【００２１】
なお、本発明の挟持具のように、略Ｄ字状の一つの挟持部材が第一フレームと第二フレームとの間で回転自在に軸支され、シート状被挟持物の挿抜時の摩擦力によって挟持部材が回転可能な点は、上述した特許文献１乃至６には全く記載されていない。
【図面の簡単な説明】
【００２２】
【図１】本発明の実施形態に係る挟持具を示す側面図である。
【図２】本発明の実施形態に係る挟持具を示す斜視図である。
【図３】本発明の実施形態に係る挟持具を示す、図１のＡ−Ａ線断面図である。
【図４】図１の挟持具において、挟持部材が回転した状態を示す側面図である。
【図５】本発明の実施形態に係る挟持具における第一フレーム及び第二フレームを示す側面図である。
【図６】本発明の実施形態に係る挟持具における第一フレーム及び第二フレームを示す斜視図である。
【図７】本発明の実施形態に係る挟持具における第二フレームを示す、図５のＢ−Ｂ線断面図である。
【図８】本発明の実施形態に係る挟持具における挟持部材を示す側面図である。
【図９】本発明の実施形態に係る挟持具における挟持部材を示す斜視図である。
【図１０】本発明の実施形態に係る挟持具における挟持部材を示す正面図である。
【図１１】本発明の実施形態に係る挟持具にシート状被挟持物を挿入する様子を示す側面図であり、（ａ）は挿入前を、（ｂ）は挿入途中を、（ｃ）は挿入完了時をそれぞれ示す。
【発明を実施するための形態】
【００２３】
図１乃至図１１を参照して、本発明の実施形態に係る挟持具１０を説明する。
この挟持具１０は、第一フレーム１と、第二フレーム２と、挟持部材４と、を備える。
本実施形態においては第一フレーム１と第二フレーム２は、合成樹脂によって略Ｕ字状に一体成形されてなる。
ここでは図１等における紙面下方を前と、また紙面上方を後ろとした。
【００２４】
第一フレーム１は、内側からの押圧力に応じて後部１ｂ（後端）を支点にして前部１ａが外側に撓む。
第一フレーム１は前端を除いて前後方向に延びる直線状で、前端はシート状被挟持物Ｓを挿入し易いように、外側に拡開している。
第一フレーム１及び第二フレーム２の幅（図１等の紙面奥行き方向の長さ）は両者一定であり、ユーザが手で持って操作し易いだけの幅となっている。
【００２５】
第二フレーム２は、その前部２ａの第一フレーム１側に、幅方向両端から立設し対となる軸受３を有する。そして、第二フレーム２の前部２ａは、第一フレーム１の前部１ａから離間して配置されるとともに第二フレーム２の後部２ｂが第一フレーム１の後部１ｂと連結されている。
ここで、第二フレーム２の前部２ａは第一フレーム１の前部１ａから離間する必要があるが、軸受３は挟持部材４が取付けられていない状態で第一フレーム１に触れる程度に当接していてもよい。
また、第一フレーム１と第二フレーム２の前端位置は揃っている。
【００２６】
挟持部材４は、周面が曲面状の摺動面４ａ及び平面状の挟持面４ｂからなる略Ｄ字状であって、挟持具１０につき一つのみ用いられる。
挟持部材４は円柱体の一部であり、円柱体を直線的に切り欠くことで挟持面４ｂを形成している。よって、摺動面４ａと挟持面４ｂとの境はエッジとなっている。このエッジはそのままの状態であってもよいし、挟持部材４が回転し難い場合にはこのエッジ部分に適宜面取り加工やＲ加工がなされる。
【００２７】
その円柱体の軸の位置に挟持部材４の回転軸４ｃが突出しており、軸受３によって第一フレーム１と第二フレーム２との間で回転自在に軸支されている。すなわち、挟持部材４が回転しても挟持部材４の一部又は全部が第一フレーム１や第二フレーム２よりも外側には出ず、通常の使用をした場合にはユーザが挟持部材４に触れることはない。また、この挟持部材４の回転量は制限されていない。
このように、挟持部材４は円柱体の一部であるので、挟持部材４の回転軸４ｃから摺動面４ａまでの距離は、挟持部材４の回転軸４ｃから挟持面４ｂまでの距離までよりも長く、また挟持部材４の回転軸４ｃから挟持部材４の摺動面４ａとの距離は一定である。
さらに、挟持部材４の周面には、摺動面４ａ及び挟持面４ｂに滑り止めを形成している。この滑り止めは周面に凹凸や溝を形成してなるものであってもよいし、周面に薄いゴムシート等を貼着するものであってもよい。
【００２８】
挟持部材４が軸受３に取付けられた状態においては、挟持部材４の回転角度によらず挟持部材４の周面のいずれかの部位が第一フレーム１を外側に向かって押圧する。回転軸４ｃからの周面までの距離との関係により、摺動面４ａによる押圧力は挟持面４ｂによる押圧力よりも大きい。
挟持面４ｂにおける半径が摺動面４ａにおける半径よりも小さいので、挟持面４ｂが第一フレーム１を押圧するときが安定状態となる。
【００２９】
このように挟持部材４が第一フレーム１を押圧しているが、その押圧した状態において、挟持部材４は第一フレーム１と挟持部材４との間に挿抜されるシート状被挟持物Ｓのその挿抜時の摩擦力のみによって回転可能である。
つまり、シート状被挟持物Ｓを挿抜する際に、補助的にユーザが指で第一フレーム１の前部１ａ等を外側に押圧する必要はない。
ここで、例えば第一フレーム１の前後方向の長さ、挟持面４ｂの長さ、摺動面４ａと挟持面４ｂとの境の段差、挟持部材４の周面の摩擦力、第一フレーム１や第二フレーム２の材質、第一フレーム１の肉厚、軸受３と第一フレーム１との距離と挟持部材４の半径との関係等が、シート状被挟持物Ｓの挿抜のみで挟持部材４が回転するか否かに相互に影響してくるので、これらは適宜バランスよく設計される。
【００３０】
また、挟持部材４が軸受３に取付けられた状態において挟持部材４は回転角度によらず、周面が第一フレーム１及び第二フレーム２の前端よりも前方に出ない。よって、第一フレーム１及び第二フレーム２の前端を下にして挟持部材４を立たせることができる。
さらに、第一フレーム１、第二フレーム２、及び挟持部材４で囲まれた空隙５の前後方向の距離は、摺動面４ａの周長以上である。特に問題となるのはシート状被挟持物Ｓが沿う第一フレーム１の内側の長さであり、空隙５のこの部分の長さ（図１におけるＬ）が摺動面４ａの周長以上となっている必要がある。
【００３１】
このように構成された挟持具１０でシート状被挟持物Ｓを固定又はその固定を解除する方法について図１１を参照して説明する。
まず、図１１（ａ）に示すように初期状態においては、挟持面４ｂが第一フレーム１を押圧している。
そして、その第一フレーム１と挟持面４ｂの間にシート状被挟持物Ｓを挿入する。
【００３２】
シート状被挟持物Ｓ挿入に伴い、図１１（ｂ）に示すように挟持部材４が回転し（図１１においては反時計回り）、シート状被挟持物Ｓが第一フレーム１と摺動面４ａによって挟まれた状態となる。
さらにシート状被挟持物Ｓを挿入することで、図１１（ｃ）に示すように挟持部材４が一回転し挟持具１０（挟持部材４）が初期状態と同じ状態となり、シート状被挟持物Ｓが固定される。
【００３３】
このとき、シート状被挟持物Ｓは第一フレーム１と第二フレーム２の連結部分には届いていない。
また、第一フレーム１を押圧する部位が挟持面４ｂから摺動面４ａと移行するときには、回転半径が急激に増加することに伴い、押圧力も増大する。よって、シート状被挟持物Ｓの自重や予期せぬ外力によってシート状被挟持物Ｓが外れてしまうことはほとんどない。
【００３４】
一方、この固定状態を解除する場合には、逆の操作を行えばよい。
つまり、第一フレーム１を押圧する部位が挟持面４ｂから摺動面４ａと移行可能なだけの力で、図１１（ｃ）に示す状態からシート状被挟持物Ｓを引き抜くと、図１１（ｂ）の状態を経て図１１（ａ）の状態となる。
このように、本実施形態に係る挟持具１０は摺動面Ｓを着脱自在に挟持可能となっている。
【００３５】
以上のように構成された挟持具１０によれば、第一フレーム１と、第一フレーム１に連結された第二フレーム２と、略Ｄ字状の一つの挟持部材４からなるので、部品数が少なく各部品の形状も単純で済む。したがって、製造コストが低廉であり、かつ不具合も生じ難い。
しかも挟持部材４が第一フレーム１を押圧した状態において、挟持部材４は第一フレーム１と挟持部材４との間に挿抜されるシート状被挟持物Ｓのその挿抜時の摩擦力によって回転可能であるので、シート状被挟持物Ｓを挿抜するというそれぞれ一つの動作だけでシート状被挟持物Ｓの固定及び解除が可能である。
【００３６】
また、第一フレーム１、第二フレーム２、及び挟持部材４で囲まれた空隙５の前後方向の距離は、摺動面４ａの周長以上であるので、シート状被挟持物Ｓを第一フレーム１と挟持部材４との間に挿入し挟持部材４が一回転しても、シート状被挟持物Ｓの端部が当たらず折れ曲がらない。
【００３７】
また、挟持部材４の回転軸４ｃから挟持部材４の摺動面４ａとの距離が一定であるので、シート状被挟持物Ｓを第一フレーム１と挟持部材４との間に挿入しシート状被挟持物Ｓが摺動面４ａに接しているときに、挟持部材４が円滑に回転する。
しかも、挟持部材４の周面に滑り止めを設けたので、シート状被挟持物Ｓが確実に固定される。また、シート状被挟持物Ｓの固定を解除しようと引き抜くときに、その摩擦力で挟持部材４が確実に回転する。
【００３８】
また、摺動面４ａと挟持面４ｂとの境にはエッジが形成されているので、挟持面４ｂが第一フレーム１を押圧している状態から容易には挟持部材４が回転せず、シート状被挟持物Ｓの固定が不意に解除されてしまい難い。
【００３９】
なお、本実施形態において、第一フレーム１、第二フレーム２、及び挟持部材４で囲まれた空隙５の前後方向の距離は、摺動面４ａの周長以上としたが、これに限られるものではない。
また、挟持部材４の回転軸４ｃから挟持部材４の摺動面４ａとの距離が一定であるとしたが、これに限られるものではなく、挟持部材４は偏心していてもよい。
【００４０】
また、挟持部材４の周面全面に滑り止めを設けたが、これに限られるものではなく、挟持面４ｂ又は摺動面４ａのいずれかのみに滑り止めを設けていてもよく、さらには摺動面４ａと挟持面４ｂとの境のエッジの有無といった他のパラメータによってシート状被挟持物Ｓの固定及び解除が円滑に行うことができれば滑り止めは無くてもよい。
【００４１】
また、第一フレーム１及び第二フレーム２は略コ字状となっているが、略コ字状に限られるものではない。
【符号の説明】
【００４２】
１      第一フレーム
１ａ    前部
１ｂ    後部
２      第二フレーム
２ａ    前部
２ｂ    後部
３      軸受
４      挟持部材
４ａ    摺動面
４ｂ    挟持面
４ｃ    回転軸
５      空隙
１０      挟持具
Ｓ      シート状被挟持物
【図１】
2015086952.tif 000003
【図２】
2015086952.tif 000004
【図３】
2015086952.tif 000005
【図４】
2015086952.tif 000006
【図５】
2015086952.tif 000007
【図６】
2015086952.tif 000008
【図７】
2015086952.tif 000009
【図８】
2015086952.tif 000010
【図９】
2015086952.tif 000011
【図１０】
2015086952.tif 000012
【図１１】
2015086952.tif 000013